Podtech/llm-jp-corpus-v4-ja_patent huggingface dataset:
(57)【要約】【課題】  従来の技術において、軸先部の貫通孔より芯を出し入れており、タッチペンとして使用する場合、貫通孔のエッジが特に液晶画面にタッチする場合、傷を付けやすく、また、文字等を描いて入力する場合、書きにくいものである。また、基本的には同様な構造をしており、電卓等のキーボードを押えるには問題ないと思われますが、液晶画面には不向きである。【解決手段】  多色ノック式ボールペンにおいて、ボールペン本体に内設した１本のボールペン軸の先端部に、タッチパネルに接触させて情報の入出力を行うことのできる円柱状のタッチ具を設けてなるタッチペンを内設したこと。タッチ具の外径より大径の支持具を、他のボールペン軸の先端部に取り付けてなることを特徴とする。【選択図】図１
2012179887.tif 000002
【特許請求の範囲】
【請求項１】
多色ノック式ボールペンにおいて、ボールペン本体に内設した１本のボールペン軸の先端部に、タッチパネルに接触させて情報の入出力を行うことのできる円柱状のタッチ具を設けてなるタッチペンを内設したことを特徴とするノック式タッチペン付多色ボールペン。
【請求項２】
タッチ具の外径より大径の支持具を、他のボールペン軸の先端部に取り付けてなることを特徴とする請求項１のノック式タッチペン付多色ボールペン。
【発明の詳細な説明】
【技術分野】
【０００１】  本発明は、多色ノック式ボールペン内に、タッチパネル用のタッチ具を内設してなるノック式タッチペン付多色ボールペンに関するものである。
【背景技術】
【０００２】  従来の技術として、軟質系弾性材料を筒状に形成して成り、先端部先端に向けて径が小さくなる円錐状に形成され、前記先端部にシャープペンシルの芯が出没可能な貫通孔を有し、基部側は前記シャープペンシルの軸先部を圧入可能な内径寸法に形成され、前記円錐状に形成された先端部の先端の細さは、該先端をタッチパネルに接触させて文字情報あるいは図形情報の入力ができる程度であることを特徴とする筆記具用グリップがある。（特許文献１参照）【０００３】  また、別の従来技術として、硬質な芯保持体を持つ筆記具において、この芯保持体を覆うように筆記具の先端部に、弾性体を装着させたことを特徴とする筆記具がある。（特許文献２参照）
【先行技術文献】
【特許文献】
【０００４】
【特許文献１】特許第３３９８６７９号公報
【特許文献２】実開平１−１１９３８７号公報
【発明の概要】
【発明が解決しようとする課題】
【０００５】  上記前者は軸先部の貫通孔より芯を出し入れており、タッチペンとして使用する場合、貫通孔のエッジが特に液晶画面にタッチする場合、傷を付けやすく、また、文字等を描いて入力する場合、書きにくいものである。【０００６】  また、上記後者も基本的には同様な構造をしており、電卓等のキーボードを押えるには問題ないと思われますが、液晶画面には不向きである。【０００７】  本発明は、上記のような従来の構成が有していた問題を解決しようとするもので、多色ノック式ボールペン内にタッチ具（タッチペン）を出し入れ自在に設けることにより、文字（ボールペン字）を書く感覚と同様な使用できるノック式タッチペン付多色ボールペンを提供することを目的とするものである。
【課題を解決するための手段】
【０００８】  本発明は、上記目的を達成するために、多色ノック式ボールペンにおいて、ボールペン本体に内設した１本のボールペン軸の先端部に、タッチパネルに接触させて情報の入出力を行うことのできる円柱状のタッチ具を設けてなるタッチペンを内設したこと。タッチ具の外径より大径の支持具を、他のボールペン軸の先端部に取り付けてなること。
【発明の効果】
【０００９】１）多色ノック式ボールペン内に、タッチ具（タッチペン）を内設することにより、ボールペン字を書く感覚で液晶画面に文字や描を書く（入力）することができ、違和感なく、スマートに使用できる。
２）タッチペンの円柱状（先端を球面状にし、孔を設けていない）のタッチ具により、液晶面を傷付けることなく、ペンタッチで使用できる。
３）タッチ具の外径より支持具の外径を大径にすることにより、ボールペン本体の先端の通孔にボールペンを確実に固定して、使用できる。
【図面の簡単な説明】
【００１０】
【図１】本発明の一実施例を示すノック式タッチペン付多色ボールペンのタッチ具及びボールペンの正面図。
【図２】本発明の一実施例を示すノック式タッチペン付多色ボールペンの一部縦断正面図。
【図３】本発明の一実施例を示すノック式タッチペン付多色ボールペンの右側面図。
【図４】本発明の一実施例を示すノック式タッチペン付多色ボールペンの一部縦断左側面図。
【図５】本発明の一実施例を示すノック式タッチペン付多色ボールペンのボールペン使用状態一部縦断正面図。
【図６】本発明の一実施例を示すノック式タッチペン付多色ボールペンのタッチ具使用状態一部縦断正面図。
【発明を実施するための形態】
【００１１】  １は、ノック式タッチペン付多色ボールペンである。
２は、ボールペン本体で、先端に通孔２ａ１（外径ｈは後述するＨ１・Ｈ２より小径で、Ｈより大径とする）を後部にペン差し片２ｂを設けると共に、上部に後述するボールペンを出し入れする出入具２ｃ・２ｄと後述するタッチ具を出し入れする出入具２ｅを設けてある。
３は、ボールペン軸３ａの先端に、タッチパネルに接触させて情報の入出力を行うことのできる先端を球面状に形成した（孔はない）、円柱状の外径Ｈのタッチ具３ｂ（導電性の素材）を設けてなるタッチペンである。
４は、例えば赤色のボールペンで、先端に上記タッチ具３ｂの外径Ｈより多少大径Ｈ１の円錐台形の支持具４ａを設けてある。
５は、例えば黒色のボールペンで、先端に上記タッチ具３ｂの外径Ｈより多少大径Ｈ２の円錐台形の支持具５ａを設けてある。
【００１２】  つぎに、使用例について説明する。
例えば、赤色のボールペン４を使用する場合、出入具２ｃを押し下げることにより支持具４ａが通孔２ａ１に引っ掛り、この状態で使用できるものである。
【００１３】  例えば、タッチペン３を使用する場合、出入具２ｅを押し上げることにより、タッチ具３ｂが通孔２ａ１より突出させることによりペンタッチとして使用できるものである。
【００１４】  上記実施例において、ボールペンの本数やタッチ具の大きさや材質等、必要に応じて決めればよい。
【符号の説明】
【００１５】  １−−−ノック式タッチペン付多色ボールペン
２−−−ボールペン本体
３−−−タッチペン
４−−−赤色のボールペン
５−−−黒色のボールペン
【図１】
2012179887.tif 000003
【図２】
2012179887.tif 000004
【図３】
2012179887.tif 000005
【図４】
2012179887.tif 000006
【図５】
2012179887.tif 000007
【図６】
2012179887.tif 000008
(57)【要約】      （修正有）【課題】たこ焼を食べる際多くの場合受け皿と爪楊枝を使っていた、ごみが二種類でることとなり資源的にも無駄が多いテイクアウトの場合ビニール袋も追加される。これを削減する方法を提供する。【解決手段】たこ焼に木の棒を刺すことにより、ごみが木も棒一本におさまる。【選択図】なし【特許請求の範囲】
【請求項１】
たこ焼に棒を刺す。すべての棒状の物に代用できる
【発明の詳細な説明】
【技術分野】
【０００１】たこ焼きを木の棒に刺したべやすい形状にする
【背景技術】
【０００２】
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】［現在日本国内においてたこ焼きという食べ物は食すのに受け皿と爪楊枝を有するゴミが多く無駄が多い］
【課題を解決するための手段】［受け皿をなくし木の棒にたこ焼本体を刺す］
【発明の効果】「この手法をつかうことにより受け皿のゴミの量が削減それによりＣＯ２削減につながる］［丸いたこ焼に木の棒を刺す］ 
【発明を実施するための形態】
【・・・・】
【実施例】
【・・・・】
【産業上の利用可能性】［すでにある既存のたこ焼店舗に取り入れてもらうことが出来る］
【符号の説明】
【・・・・】
【受託番号】
【・・・・】
(57)【要約】      （修正有）【課題】特徴のある外観と特徴ある食感を持つ、鶏の唐揚食品を提供する。【解決手段】鶏のから揚げ用の唐揚げ粉１００重量部に、食用の竹炭微粉炭約１０重量部を均一に混合したものを使用して唐揚げし、鶏の唐揚食品とする。【選択図】なし【特許請求の範囲】
【請求項１】
鶏のから揚げ用の唐揚げ粉１００重量部に、食用の竹炭微粉炭約１０重量部を均一に混合したもので唐揚げしたことを特徴とする鶏の唐揚食品
【発明の詳細な説明】
【技術分野】
【０００１】鶏の唐揚食品に関する。
【背景技術】
【０００２】近年の居酒屋経営において、一般的なメニューである唐揚げは差別化が難しく、売り上げ向上と過当競争打破のためにも特徴のある鶏の唐揚食品が求められていた。
【発明の概要】
【発明が解決しようとする課題】
【０００３】特徴のある外観と特徴ある食感を持つ新たな鶏の唐揚食品をつくる。
【課題を解決するための手段】
【０００４】本発明は、鶏のから揚げ用の唐揚げ粉１００重量部に、食用の竹炭微粉炭約１０重量部を均一に混合したもので唐揚げしたことを特徴とする鶏の唐揚食品である。
黒い色を出すための素材は色々あるが、数種類の素材の試行錯誤の末、竹炭の微粉炭が、品質的にもばらつきも少なく安定しており、保管上もとても便利である。コスト的にも一番安いものであることが分かった。
【発明の効果】
【０００５】  唐揚粉に竹炭を所定量の入れたことにより、黒色というインパクトある外観とサクサクとした従来にない食感を持つ鶏の唐揚食品が得られた。
【発明を実施するための形態】
【０００６】以下実施例にて、発明の詳細を説明する。
【実施例】
【０００７】    一般的に使用される小麦粉と片栗粉に、竹炭の微粉炭を最適な配合分量で加えて均一に混ぜ合わせる。この際の配合割合と均一に混ぜ合わせる方法は以下に示すとおりである。【０００８】  小麦粉１００グラム、片栗粉１００グラム、合計２００グラムの基本重量に対し竹炭微粉炭２０グラムが最適である。最初は１０グラムで試作したが、綺麗な黒い色が出なかった。また、３０グラムで試作した際には、黒い色は綺麗に出るが食感がよくなかった。この原因として、竹炭そのものには、つなぎとしての力はなく、ぼろぼろとした食感になるようである。  したがって、その中間の２０グラムが最適の配合割合であると判断した。正確な配合割合は、以下に示すとおりである。
小麦粉１００グラム
片栗粉１００グラム
食用竹炭微粉炭２０グラム
香辛料１〜３グラム【０００９】上記の配合で作られた唐揚げ粉は水分をほとんど含まないため保存性がよく、また、味の劣化もほとんどなく１〜２週間程度の保存にも耐えられる。【００１０】竹炭微粉炭は、名前の通りの微粉のため、すぐに空中に飛び散りやすい。飛散防止のために、深めのボウルを使い少量ずつ混ぜ合わせるといった工夫が必要である。【００１１】本発明の唐揚げを製造する際、から揚げ粉をまぶす前に最適の下処理をしておかなければなければならない。そのための付け汁の製造方法は以下に示すものを全て加えホイッパーで撹拌しながら完成させるが、味覚向上のためには冷蔵庫内で数時間置いた方がよい。
アルカリイオン水１００ＣＣに対し
ガーリックパウダー２グラム
チリパウダー１グラム
ジンジャー１グラム
カイエンペッパー１グラム
朝鮮練り唐辛子３グラム
食塩３グラム
砂糖３グラム
ガラスープの素・粒２グラム
白ゴマ１グラム
トレハロース１グラム
醤油５ＣＣ【００１２】  本発明の唐揚げを製造現場で調理する際の工程と揚げる油の最適温度は次のとおりである。１個４０グラム程度にカットした鶏肉を前記の付け汁に４５〜６０分付けておき、その後ざる揚げしてタッパーなどの密閉容器に保管しておく。調理開始直前に、黒い唐揚げ粉にまんべんなくまぶし、油温１７０度に設定した自動フライヤーで４分間揚げる。自動フライヤーがない場合は手動でしっかりとした温度管理をする必要がある。【００１３】  本発明の唐揚げを試作する中で、数多くの試食を繰り返すが、関係者の中で便通がよくなったと報告するものが数名あった。もともとは活性炭の一種である竹炭が体の中を通過することで整腸作用が働く可能性がある。
(57)【要約】      （修正有）【課題】犬猫などが地面に排泄した糞の回収を、素早く衛生的に行えるようにする機能を備えた、携帯するのに便利な容器を提供する。【解決手段】長方形状の容器の前方側面に、前後上下に伸縮する蓋を取り付け、その蓋の先端を糞を掻き込み易い形状にする。この容器を蓋部分からポリ袋の中へ入れ、ポリ袋で容器を包んだ状態にして、ポリ袋の中で容器の蓋を開き、ポリ袋の底部を容器の中へ奥底まで入れることで、容器の蓋で糞を容器中のポリ袋の中へ掻き込むことが出来る。【選択図】図４
2012179041.tif 000002
【特許請求の範囲】
【請求項１】
側面に掻き込む蓋（図２）を取り付けた容器。
【請求項２】
ポリ袋を装着した状態で、蓋で掻き込みが出来る糞取り容器（図３）。
【発明の詳細な説明】
【技術分野】
【０００１】この発明は、前後上下に伸縮して掻き込み機能を持つ蓋を取り付けた長方形状の容器に関するものである。
【背景技術】
【０００２】従来、糞処理に適した携帯しやすい容器が無く、袋類等が容器の代わりとして使われている。
【発明の開示】
【発明が解決しようとする課題】
【０００３】従来、地面に排泄した犬猫などのペット糞の回収を容易に行い、後始末が簡単で携帯しやすい容器がなく、また、袋類等を使って回収を行う場合、糞に触れる感覚があり生理的に嫌悪感を持つ事がある。この様な結果、糞の後始末を行わず路上に放置している事が多くある。
本発明は、以上の様な課題を解決するものである。
【課題を解決するための手段】
【０００４】長方形状の容器の側面の一辺（図１）に、前後上下に伸縮する蓋を取り付け（図２）て、容器の中へ掻き入れる機能を設ける。
本発明は、以上の形状と機能を持つ容器である。
【発明の効果】
【０００５】ポリ袋を装着した容器を糞に近ずけて、蓋を伸ばして糞の上に被せて、容器の中へ掻きこむので、素早く衛生的に行う事ができ、袋類を使って手で行う場合と比べて嫌悪感が少ない。また、容器に紐を付けることで携帯に便利である。
【発明を実施するための最良の形態】
【０００６】以下、本発明を実施するための最良の形態について説明する。
糞の処理は片手で行うのが通常であるから、容器の大きさは、手で挟み易い長方形状が望ましく、幅方向は手のひらを広げて両端の指で挟める範囲とし、更に挟み易くする為に長さ（奥行き）方向へやや狭める形が良い（図１）。長さ（奥行き）は手のひらが乗る長さが最適であるが、蓋を閉じた状態で容器に固定できる様に、容器上部を蓋の厚み幅に相当する程度は長くし、中央部は指が入る様にする（図１）。高さは、積った糞を掻き寄せられる高さを確保する必要があるが、容器幅よりやや短い高さの方が掻き寄せる際に安定感がある。
容器に取り付けた糞を掻き寄せる機能を持たせた蓋の形状は、掻き込みを容易にするために、蓋の下部である先端を（図４）の様にややくの字状にして、蓋の上部である付け根部は、指を蓋の中へ入れて前後上下に動かせる様に空間を設ける（図２の網目部）。また、前後上下に伸縮機能を持たせる為に、蓋と容器の其々の取り付け部分とその中間に折り目を付け、折り畳んだ状態では縮んで箱の中に蓋が収まる様にする（図５、点線は容器）。
尚、この容器の素材は板紙かプラスチックが最適である。
【図面の簡単な説明】
【０００７】
【図１】箱形の斜視図
【図２】蓋の斜視図
【図３】本発明の斜視図
【図４】蓋の先端の側面図
【図５】蓋の取り付け部の側面図
【図１】
2012179041.tif 000003
【図２】
2012179041.tif 000004
【図３】
2012179041.tif 000005
【図４】
2012179041.tif 000006
【図５】
2012179041.tif 000007
(57)【要約】【課題】短靴と雨長靴ブーツとか１つの底部で色んな靴として使用する。【解決手段】底部全周に溝を設け長靴下部には突起物を設け合体して水分やホコリなどをシールする。【選択図】図３
2012179344.tif 000002
【特許請求の範囲】
【請求項１】
靴底部に長靴上部が取り付け取り外しが自由に出来る靴。
【請求項２】
いろんな形模様長さの違う靴上部の取替でファッション性用途に優れた靴。
【請求項３】
材料の選択ビニールや薄手のゴムなどを使用するとより効果的である。
【発明の詳細な説明】
【技術分野】
【０００１】この考案は靴底部外周にシール部を設け長靴上部を取り付け取り外し出来る靴。
【背景技術】
【０００２】日常晴れの日は短靴雨の日は雨長靴冬はブーツその日の天気環境でいろんな靴が必要であった。
【発明の開示】
【発明が解決しようとする課題】
【０００３】そのために次のような問題点があった。
（イ）外出の時は晴れで外出先で急な雨や雪に急変した時など水溜まりなどで靴の中に水が入ったりして不快な思いをした。
（ロ）長靴やブーツなど外出に持ち歩くには靴底部が固く荷物になっていた。
【課題を解決するための手段】
【０００４】短靴やスリッパなど靴底部にシール溝を設け靴底のない長靴下部にシール用突起物を設け合体して長靴として使用し水など入らない様にする。
靴底のない長靴は軟らかい部分なので丸めたりたたんだりして特ち歩きが容易になる。
【発明の交果】
【０００５】靴底のない長靴は軟らかい部分なので特ち歩きが容易になり１つの靴で雨長靴ブーツなどいろいろな靴として使用できる。
【発明を実施するための最良の形態】
【０００６】以下本発明の形態について説明する。
（Ａ−Ａ）靴の断面図  （Ｂ）短靴として使用時のシール部を守るための保護具  （Ｂ′）靴底部に保護具を付けた時の詳細図  （Ｃ）靴底シール部には入口２ｍｍ奥２、５ｍｍ巾を設け奥行３ｍｍ程度の講を全周に設ける。（Ｄ）靴底のない長靴下部には保護具のような巾２、４ｍｍ長さ２、７ｍｍ程度の突起物を全周に設ける。（Ｅ）短靴に長靴上部を取り付けた時のシール部。
【図面の簡単な説明】
【０００７】
【図１】本考安の保護シールを付けた短靴図
【図２】Ａ−Ａ断面図  Ｂ′保護シール詳細図
【図３】短靴に長靴上部を取り付けた図
【符号の説明】
【０００８】Ａ−Ａ  短靴断面図
Ｂ      保護具
Ｃ      短靴底部
Ｄ      長靴上部
Ｅ      長靴シール部
【図１】
2012179344.tif 000003
【図２】
2012179344.tif 000004
【図３】
2012179344.tif 000005
(57)【要約】【課題】  本発明は、ロールペーパーのミシン目の位置を、一見で的確に知らせる、マーキングを設けて、一見でミシン目が分かるマーキング入りトイレットペーパーを提供する。【解決手段】  ロールペーパー（６）において、ミシン目（２）とつぎのミシン目（１）を設け、ミシン目（１）に起点（４）を設け、斜めにＶ字形のマーキングライン（３）を設け、マーキングライン（３）とミシン目（２）の側面に当る接点（５）を設けたことを特徴とする一見でミシン目が分かるマーキング入りトイレットペーパー。【選択図】図１
2012179342.tif 000002
【特許請求の範囲】
【請求項１】
ロールペーパー（６）において、ミシン目（２）と次のミシン目（１）を設け、ミシン目（１）に起点（４）を設け、斜めにＶ字形のマーキングライン（３）を設け、マーキングライン（３）とミシン目（２）の側面に当る接点（５）を設けたことを特徴とする一見でミシン目が分かるマーキング入りトイレットペーパー。
【発明の詳細な説明】
【技術分野】
【０００１】  本発明は、ロールペーパーのミシン目の位置を、一見で的確に知らせる、マーキングを設けて、一見でミシン目が分かるマーキング入りトイレットペーパーに関するものである。
【背景技術】
【０００２】  従来、トイレットペーパーの全体に色彩をつけたもの、また、色彩により花柄模様をつけたロールペーパーはあったが、ミシン目を事前に確認する目印となるものはついていなかった。
【発明の概要】
【発明が解決しようとする課題】
【０００３】  そのために、つぎのような問題点があった。
（イ）ペーパーホルダーの切り口に、ミシン目をラインに合わせ切り取るものであるが、現実にミシン目の穴が小さく、目立たなく見落とす傾向にあった。
そのため、瞬時での見極めに手間取り、故に一見して目印があれば、といったもどかしさがあった。
（ロ）ミシン目を合わせ損なうと逆回転させたり、縦に裂けて千切れたりで、見た目にも見苦しく、次に使う人の見極めも手間取るなどの悪循環の原因になっていた。
本発明は、これらの問題点を解決するためになされたものである。
【課題を解決するための手段】
【０００４】  ロールペーパー（６）において、ミシン目（２）と、次のミシン目（１）を設け、ミシン目（１）に起点（４）を設け、斜めにＶ字形のマーキングライン（３）を設け、マーキングライン（３）とミシン目（２）の側面に当る接点（５）を設ける。
以上のように構成された、一見でミシン目が分かるマーキング入りトイレットペーパー。
【発明の効果】
【０００５】  ロールペーパーの切り口となる、ミシン目の中央ラインを起点とし、次のミシン目左右側面縁までの間を、Ｖ字形にしたライン線を設け、ライン線の跡切れた位置が、切り口のミシン目となり、捜すことなく見落としもなくなる。
目で誘導する目印、マーキングラインをつけたことで、切り口が確認できる。
従来のミシン目の見分けにくい問題点を目で追う道しるべとして、マーキングラインによって見落としもなくなり、一見で見極めが簡単明瞭になり、手間取ることもなく消費の非効率な点も改善し、無駄な排除がエコ消費につながる。
【図面の簡単な説明】
【０００６】
【図１】  本発明の正面図である。
【発明を実施するための形態】
【０００７】  以下、本発明の実施の形態について説明する。
ロールペーパー（６）において、ミシン目（２）と、次のミシン目（１）を設ける。
ミシン目（１）の中央にマーキングラインの起点（４）を設ける。
つぎのミシン目（２）の左右側面に当る接点（５）までの間を、斜めにＶ字形のマーキングライン（３）を設ける。
マーキングライン（３）の跡切れた位置が、ミシン目（２）との接点（５）となる。
本発明は以上のような構成である。
本発明の使い方を説明する。
ロールペーパーホルダー（７）よりロールペーパー（６）を引き出し、切り取る位置がマーキングライン（３）の跡切れた位置で、つぎのミシン目（２）との接点（５）となり、ロールペーパーホルダー（７）の切り取り口に合わせ切り取る。
一見した見極めによって、千切れや見苦しさも無駄なく最後まできれいに使いきることができる。
【符号の説明】
【０００８】  １  ミシン目
２  ミシン目
３  マーキングライン
４  起点
５  接点
６  ロールペーパー
７  ロールペーパーホルダー
【図１】
2012179342.tif 000003
(57)【要約】【課題】本発明は頬のたるみを解消する為に、シリコンを利用して頬を持ち上げるタイプのイヤリングを提供する。【解決手段】装飾を施したシリコン１を頬に貼り、支持体２でシリコン１上部を釣り上げ、耳をまたいで後ろに回した支持体２の先端に重り３(装飾品)を下げることで、シリコン１の接着面である頬の皮膚が持ち上がった状態を維持することが出来、フェイスリフトを可能にする。【選択図】図１
2012179322.tif 000002
【特許請求の範囲】
【請求項１】
耳介の付け根部分を跨いでくれる支持体と、
支持体の一方の端部に設けられた重りと、
支持体の他方の端部に設けられた粘着体と、
を有するイヤリング。
【請求項２】
前記重りは装飾物であり、
前記粘着体も扁平に形成されたシリコン樹脂の裏側に装飾を施した、
装飾物である、
請求項１記載のイヤリング。
【請求項３】
前記粘着体が顔の表面に粘着し、前記重りの重力によって、
顔の表面を持ち上げるように構成された、
請求項１記載のイヤリング。
【発明の詳細な説明】
【技術分野】
【０００１】
本発明は頬に装飾を施したシリコンを貼り、支持体で釣るようにして耳の後ろに回し、支持体の先に重りを兼ねた装飾品をぶら下げることにより、フェイスリフトを可能にするものである。
【背景技術】
【０００２】
従来、耳にかけるタイプのイヤリングは存在するが、たるんだ頬を持ち上げる機能を持つイヤリングはなかった。
【先行技術文献】
【特許文献】
【０００３】
【特許文献１】特開２００６−６８２９５
【発明の概要】
【発明が解決しようとする課題】
【０００４】
加齢とともに頬がたるみ、しわが増えてきます。これを解決したいというのはすべての女性の願望ではありますが、美容整形等によるフェイスリフトはリスクがあり施術費用もかなり高額になります。また、化粧品によるフェイスリフトの効果もそれ程期待できるものではありません。本発明はこの課題を解消するためになされたものであります。
【課題を解決するための手段】
【０００５】
以前より商品化されているヌーブラ(シリコンを利用したブラジャー)に使用されている素材(シリコン)には粘着力があり、安全性も認められています。このシリコン１を頬に貼り、上部を支持体２で釣るようにして持ち上げます。シリコン１が持ち上がると同時に、たるんだ頬の皮膚も持ち上がりしわも伸びます。持ち上がった状態を保つために、支持体２を耳の後ろに回し、その先に皮膚を持ち上げる力に匹敵する重り３を下げることによって、フェイスリフトが可能になります。またシリコン部分、支持体、重りに装飾を施すことによって、頬に貼られたシリコンを隠すことができます。
【発明の効果】
【０００６】
イヤリングとしておしゃれを楽しみながらフェイスリフトの効果があります。
【図面の簡単な説明】
【０００７】
【図１】本発明の装着図であります。
【図２】本発明の正面図であります。
【発明を実施するための形態】
【０００８】
以下本発明の実施の形態について図面を参照しつつ詳細に説明すれば、図１は本発明品を装着した状態を表すもっとも一般的な形態の平面図を示すが、支持体２が耳を跨いで顔前面の耳寄りにシリコン１がきて、後頭部の耳寄りに重り３がくる。重り３は装着時でも取り換え可能である。
図２は本発明の一例である平面図を示すが、シリコン１部分に使用されるシリコン１のサイズに関しては、接着面を長時間釣り上げる必要性を考えると、円形と考えた場合に直径２.５ｃｍ以上は必要と考えられるが、大きくなることで、美観を損ねない様に緻密に計算する必要がある。シリコン１部分にはシリコンの存在を隠すために装飾を施すが、ビーズ、貴金属等、種々の装飾が可能である。支持体２の形状と長さに関しては、耳に沿う形であり耳に沿う長さが基本であるが、形や長さを変えることも可能である。支持体２に使用される材料に関しては、金属、プラスチック、チタン等、種々の材質が使用可能である。重り３に使用される重りの重量に関しては、たるんだ皮膚を釣り上げる為には２０ｇ前後は必要と考えられるが、重くなることにより装着時に不快と感じないように、個人の好みや状況に応じて重りを取り換えることにより重量の変更が可能である。重りは貴金属、石等、種々の材料でアクセサリーとして充分通用するものを使用する。
【符号の説明】
【０００９】
１シリコン
２支持体
３重り
【図１】
2012179322.tif 000003
【図２】
2012179322.tif 000004
【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
耳介の付け根部分を跨いでくれる支持体と、支持体の一方の端部に設けられた重りと、支持体の他方の端部に設けられた粘着体とを有し、
前記粘着体が顔の表面に粘着し、前記重りの重力によって、顔の表面を持ち上げるように構成されたことを特徴とするイヤリング。
【請求項２】
前記重りは装飾物であり、前記粘着体も扁平に形成されたシリコン樹脂の裏側に装飾を施した装飾物であることを特徴とする請求項１に記載のイヤリング。
(57)【要約】      （修正有）【課題】やかんや急須から液体をそそぐ時に、同時に複数の容器に注ぐ事により、時間の短縮が可能になる急須及びやかんを提供する。【解決手段】複数の注ぎ口Ｌ１，Ｌ２，Ｌ３，Ｒがあるやかん及び急須。【選択図】図２
2012179337.tif 000002
【特許請求の範囲】
【請求項１】
複数の注ぎ口があるやかん及び急須。
【発明の詳細な説明】
【技術分野】
【０００１】本発明は、急須、やかん等、注ぎ口のある容器に関する。
【発明の概要】
【発明が解決しようとする課題】
【０００２】注ぎ口が１個の場合、注ぎたい容器の数相当分の時間がかかる。
【課題を解決するための手段】
【０００３】本発明は、注ぎ口を増やす事。
【発明の効果】
【０００４】同時に複数の容器に注ぐ事により、時間の短縮が可能になる。
【図面の簡単な説明】
【０００５】
【図１】本件発明の概略図で、取っ手は省略してあります。図の例ではＬ１とＬ２の注ぎ口から、同時に２個の器に注ぐ事が出来る。
【図２】本件発明の概略図で、取っ手は省略してあります。図の例では、左側のＬ１、Ｌ２、Ｌ３の注ぎ口から、同時に３個の器に注ぐ事が出来る。Ｒの注ぎ口は、注ぎたい容器が反対側の個数（図の例では３個）に満たない場合に１個ずつ注ぐ事が出来ると共に、特定の器の分量を増やしたい時に、１個ずつ注ぐ事が出来る。
【図１】
2012179337.tif 000003
【図２】
2012179337.tif 000004
(57)【要約】【課題】［００３］従来の台所のガスレンジの台では狭く、また収納スペースもなく不便であった。また高さが低いので計器の表示や作動ボタンの位置が見えにくく、不便であったためこれらの不具合を解決する事を課題とした。【解決手段】この課題を解決するために請求項１の発明は、既存の台所のガス台に逆凹形の台を設ける事により電磁調理器の設定や作動状態を安易に認識でき、機器の作動を止める必要が生じた時なども確実に確認ができるので安全性が大幅に向上するので安全に使用出来る。又、逆凹形の台下のスペースを利用し、なべ等、調理器具の収納が出来る。【選択図】図３
2012179340.tif 000002
【特許請求の範囲】
【請求項１】
電磁調理器に関するもので、既存のガス台の上にスペースを設けるために逆凹形の構造物を用いたもの。
【請求項２】
素材は、金属でも、木材でも、樹脂製でも良い。
【発明の詳細な説明】
【技術分野】
【００１】本考案は台所の電磁調理器に関する台の発明である。既存の台所のガス台に逆凹形の構造物を設けて調理器具を収納可能にした逆凹形状のコンロの台に関するものである。
【背景技術】
【００２】従来は台所のガスレンジの台をそのまま使用していた。
【考案が解決しようとする課題】
【００３】従来の台所のガスレンジの台では狭く、また収納スペースもなく不便であった。また高さが低いので計器の表示や作動ボタンの位置が見えにくく、不便であった。
【考案が解決しようとする手段】
【００４】この発明は従来の技術の問題点を解消した台所の電磁調理器の台を目的として考案されたものである。
機器の作動状態を安易に認識できるようにする為に、逆凹形状に組んだ台を既存のガス台の上に設けた物でその下部に空間を作り、なべ等の収納スペースを作った。
【考案の効果】
【０００５】よって本考案の方法により電磁調理器の設定や作動状態を安易に認識でき、機器の作動を止める必要が生じた時なども確実に確認ができるので安全性が大幅に向上する。
また高くした台の下に空間ができたので、なべ等の収納スペースを作ることができた。
【図面の簡単な説明】
【０００７】
【図１】従来の台所のレンジ台である
【図２】本考案の電磁調理器の設置方法である
【図３】電磁調理器を置いて、鍋を収納した図である
【符号の説明】ａ．従来の台所のレンジ台
ｂ．本考案の電磁調理器の台
ｃ．電磁調理器
ｄ．収納スペース
発明の実施の形態
図２は、本発明の電磁調理器の台の具体的実施例を示す図である。
図３は、電磁調理器を置いた状態を示す図である。
【図１】
2012179340.tif 000003
【図２】
2012179340.tif 000004
【図３】
2012179340.tif 000005
(57)【要約】【課題】本発明は、バスタオル等で体を拭く手間を省き、素早く全身を乾かすことのできるカプセル型ボディードライヤー装置を提供する。【解決手段】カプセル（１）内に乾燥装置（２）を設ける。乾燥装置（２）はカプセル（１）内の天井及び側面に渦状に設けた噴出口から出たエアーで乾かす装置。その足元には排水溝（３）を設けて、カプセル（１）内に手すり（４）を設け、老若男女が使用できるようにする。出入り口（５）はカプセル（１）の正面にあり、扉はない。出入り口（５）右外壁部に作動装置及び温風・冷風切替装置（６）を設けたカプセル型ボディードライヤーを特徴とする。【選択図】図１
2012179335.tif 000002
【特許請求の範囲】
【請求項１】
カプセル（１）内に、温風・冷風切替装置（６）付きの乾燥装置（２）を設けた、濡れた体を乾かすことを特徴とするカプセル型ボディードライヤー。
【発明の詳細な説明】
【技術分野】
【０００１】本発明は、温泉やプールなどの施設で濡れた体を素旱く乾かすカプセル型ボディードライヤーに関するものである。
【背景技術】
【０００２】従来は、誰もが手軽に使用できるボディードライヤーはなく、全身をバスタオル等で拭いていた。
【先行技術文献】
【０００３】
【特許文献】
【特許文献】特開２００３−２６０１０７号公報
【発明の概要】
【発明が解決しようとする課題】
【０００４】濡れた体をバスタオル等で拭くという手間を省き、またバスタオル等の洗濯・乾燥の煩わしさを軽減するとともに、取扱が容易で老若男女問わず誰にでも使用できる好適なカプセル型のボディー用ドライヤー装置を一般家庭に留まらず、温泉施設及び老人施設、宿泊施設、学校、プールなどに提供する事を目的としている。
【課題を解決するための手段】
【０００５】カプセル（１）内に乾燥装置（２）を設ける。乾燥装置（２）はカプセル（１）内の天井及び側面に渦状に設けた噴出口から出たエアーで乾かす装置。その足元には排水溝（３）を設ける。カプセル（１）内に手すり（４）を設け、老若男女が使用できるようにする。出入り口（５）はカプセル（１）の正面にあり、扉はない。出入り口（５）右外壁部に作動装置及び温風・冷風切替装置（６）を設ける。
本発明は以上の構成によりなるカプセル型ボディードライヤーである。
【発明の効果】
【０００６】ドライヤーが全身を乾燥してくれるので、老若男女問わず誰にでも使用できる上、バスタオル等の洗濯・乾燥をするという手間も省ける。また、身体の不自由な方にも使いやすい。
【図面の簡単な説明】
【０００７】
【図１】本発明の斜視図である。
【図２】本発明の断面図である。
【発明を実施するための形態】
【０００８】カプセル（１）内に乾燥装置［ドライヤー］（２）を設ける。乾燥装置［ドライヤー］（２）はカプセル（１）内の天井及び側面に渦状に設けた噴出口から出たエアー｛冷風及び温風切り替え可｝で乾かす装置。その足元には排水溝（３）を設ける。カプセル（１）内にプラスチック製の手すり（４）を設け、老若男女が使用できるようにする。出入り口（５）はカプセル（１）の正面にあり、扉はない。出入り口（５）右外壁部に作動装置及び温風・冷風切替装置（６）を設ける。
本発明は以上の構成によりなるカプセル型ボディードライヤーである。
これを使用するときは、入る前に作動装置をＯＮにし、通常は温風のエアーが出るが、好みによって温風・冷風を選択し、後は中に入って身体を乾かせばよい。出た後は作動装置をＯＦＦにする。
【符号の説明】
【０００９】（１）カプセル
（２）乾燥装置［ドライヤー］
（３）排水溝
（４）手すり
（５）出入り口
（６）作動装置及び温風・冷風切替装置
【図１】
2012179335.tif 000003
【図２】
2012179335.tif 000004
(57)【要約】      （修正有）【課題】攪拌しないと抽出効果が低い。【解決手段】内部に障害物Ｓ１，Ｓ２、Ｓ３、Ｓ４を設ける事で、急須を動かした時に攪拌効果が増大する。【選択図】図１
2012179338.tif 000002
【特許請求の範囲】
【請求項１】
茶漉し、急須本体、又は蓋の内側に、障害物を設けた物。
【請求項２】
障害物として網状の物を用いた物。
【発明の詳細な説明】
【技術分野】
【０００１】本発明は、茶漉し急須等、抽出道具に関する。
【発明が解決しようとする課題】
【０００２】茶葉と湯が自然な動きのままでは、抽出効果が低い。
【課題を解決するための手段】
【０００３】本発明は、障害物を設ける事。
【発明の効果】
【０００４】障害物により攪拌作用が生まれて抽出効果が向上する。
障害物として網状の素材を使用した場合には、茶葉と湯の動きを異にすることが出来るので、抽出効果が増大する。
【図面の簡単な説明】
【０００５】
【図１】本件発明の概略図で、障害物の位置と個数の例。
【図２】本件発明の概略図で、障害物の位置と個数の例。
【符号の説明】
【０００６】Ｓ１〜Ｓ４は障害物
【図１】
2012179338.tif 000003
【図２】
2012179338.tif 000004
(57)【要約】【課題】  本来、靴下を整理ダンスなどの引き出しに入れておくと、奥に入っている靴下が取り出しにくい時がある。また、同一の引き出しに使用する人みんなの靴下を入れておくと、誰のか分からなくなる。【解決手段】  本体１の上部をフックなどに掛けて、伸び縮みする輪２に結んだ、もしくは折りたたんだ靴下を入れ、ゴム３で固定し、使用する時にいつでも容易に取り出して使えるようにする。そして、使用する各個人が誰の靴下か分かるようにする。【構成】  本体１は、平テープを主に使用し、伸び縮みする輪２とゴム３を数個つけ、上部はフックなどに掛けられるようにマジックテープで固定できるようにする。  伸び縮みする輪２とゴム３は、使用目的に応じて個数を変えることが出来るようにする。【選択図】図１
2012179334.tif 000002
【特許請求の範囲】
【請求項１】
本体１の上部をフックなどに掛けて、伸び縮みする輪２に、結んだもしくは折りたたんだ靴下を入れ、ゴム３で固定し、使用する時にいつでも容易に取り出して使えるようにし、使用する各個人が誰のか分かるようにする。
【発明の詳細な説明】
【技術分野】
【０００１】  本発明は、本体１の上部をフックなどに掛けて、伸び縮みする輪２に結んだ、もしくは折りたたんだ靴下を入れ、ゴム３で固定し、使用する時にいつでも取り出して使えるようにする。
【発明が解決しようとする課題】
【０００２】  本来、靴下は整理ダンスなどの引き出しに入れるが、それだと奥に入っている靴下は取り出しにくい時がある。また、同一の引き出しに使用する人みんなの靴下を入れておくと誰の靴下か分からなくなる時がある。
【課題を解決するための手段】
本体１の上部をフックなどに掛けて、伸び縮みする輪２に結んだ、もしくは折りたたんだ靴下を入れ、ゴム３で固定し、使用する時にいつでも容易に取り出して使えるようにする。
【発明の効果】
このようにすれば、引き出しの奥に入っている靴下が取り出しにくいこともなく、また使用する各個人がそれぞれ本体１を使うと誰の靴下か分からなくなることもなくなる。
【図面の簡単な説明】
【図１】  靴下収納具の全体図
【発明を実施するための形態】
本体１は、平テープを主に使用し、靴下を入れて固定するために、伸び縮みする輪２とゴム３を数個つけて、上部はフックなどに掛けられるようにマジックテープで固定できるようにする。
【符号の説明】１  本体
２  伸び縮みする輪
３  ゴム
４  マジックテープ
【図１】
2012179334.tif 000003
(57)【要約】【課題】磁石の吸引力と反発力を外部電源を使って、多くの動力源としているものを、外部電源又は他のエネルギーを使わず、動力源を発生させようとするものである。また、近年地球環境問題と共に省エネが叫ばれている中、これらに貢献できることも考慮したものである。【解決手段】二つの磁石、磁石１と磁石２の磁極面が同極で、ある距離をおいて相対する位置関係とする。磁極面どうしをずらし、各々の磁極面を少し傾ける構造で、磁石１、磁石２ともに円移動の動きとする。この状態で、磁石１の磁極が磁石２の磁極面に相対する距離を縮める方向に近づける場合、磁石１は磁界の影響を殆んど受けない。これに対し、磁石１が近づいた磁石２は、移動方向を変えることにより、磁界の影響を受け反発力が発生する。相対する磁極面が異極の場合は磁石２は吸引力となる。本装置は、この磁石１、磁石２の受ける反発力又は吸引力の差を動力源として利用するものである。【選択図】図２
2012125125.tif 000002
【特許請求の範囲】
【請求項１】
（イ）相対する磁極面を面と平行の方向にずらし、磁極面の一辺どうしが相対する位置からさらにずらす。これにより磁界の中性点を得る。
（ロ）磁極面どうしを少し傾ける。これにより磁界の中性点の連続性を得る。
（ハ）相対する磁極面の距離を縮める方向の動きと、相対する磁極面の一方が平行して動く方向の構造とし、磁界の受ける力の差を得ている。
（ニ）相対する磁極面の距離を縮める方向の動きで、磁界の影響を弱めるために、片側の磁極面に磁極面の面積の約２倍の鉄片を磁極面に取付けている。
（ホ）可動部は、全て円運動であるので、動作がスムーズである。
【発明の詳細な説明】
【技術分野】
【０００１】この発明は、磁石間相互に働く吸引力又は反発力に対し、第三の力関係を創造した動力発生装置に関するものである。
【背景技術】
【０００２】従来は、磁石相互に働く力は、吸引力と反発力で、例えば磁石間相互で吸引力により吸引されて移動した磁石を元に戻すには、外部よりその吸引力に相当する反対のエネルギーが必要であった。
【先行技術文献】
【０００３】
【発明の概要】
【発明が解決しようとする課題】
【０００４】磁石の吸引力と反発力を外部電源を使って、多くの動力源としているものを、外部電源又は他のエネルギーを使わず、動力源を発生させようとするものである。また、近年地球環境問題と共に省エネが叫ばれている中、これらに貢献できることも考慮したものである。
【課題を解決するための手段】
【０００５】二つの磁石、磁石１と磁石２の磁極面が同極で、ある距離をおいて相対する位置関係とする。
磁石１、磁石２は、磁極面をずらし、少し傾けて相対する構造とする。二つの磁石は、各々が水平方向に円移動できる構造で、各々の円移動は互に直角の方向に動く。
この状態で、磁石１の磁極面が磁石２の磁極面に相対する距離を縮める方向に、遠くより近づける場合、磁石１は磁界の影響を殆んど受けなく、ある距離に近づけることができる。これに対し、磁石１が近づいた磁石２は、移動方向を直角に変えることにより、磁界の影響を受け、磁石２に反発力が発生する。
本装置は、この磁石１と磁石２の受ける反発力の差を動力源として利用するものである。
【発明の効果】
【０００６】二つの磁石をある条件で設定することにより、単に永久磁石のみの使用で、外部の石油とか電気エネルギーを使用することなく、動力を発生させることができる。
磁石の数、磁石の強さに吸引力又は反発力は比例するので、これらを増すことにより、発生動力を増大させることができる。この増大させた動力源を用いることにより、本装置内の磁界の影響を殆んど受けない磁石の移動等受動部分を動かすことが可能である。こうすることにより、本装置は完全な動力エネルギー発生装置となる。
これにより、従来の外部より石油とか電力等を供給する動力源の代替が可能になるものである。
【図面の簡単な説明】
【０００７】
【図１】本発明の斜視図である。
【図２】本発明の平面図である。
【図３】本発明の正面図である。
【図４】本発明の側面図である。
【発明を実施するための形態】
【０００８】二つの両面２極磁石をある距離をおいて、互に磁極面を相対する向きにする。相対する磁極面を面と平行の方向にずらし、磁極面の一辺どうしが相対する位置からさらにずらす。この形から磁極面どうしを少し傾けた構造とする。磁極面のずらしと傾斜により円移動の動きで、磁界の影響を殆んど受けない条件が得られる。
この二つの磁石は、各々が水平方向に円移動できる構造で、各々の円移動は互に直角の方向に動く。
これらの状態から、磁石１の磁極面が磁石２の磁極面に相対する距離を縮める方向に遠くより近づける場合、磁石１は磁界の影響を殆んど受けない。これに対し、磁石１が近づいた磁石２は、移動方向を直角に変えることにより、磁界の影響を受け、磁石２に反発力が発生し、円移動する。反発力の始動を容易にするため、磁石２は反発力の方向に少しずらしてある。
磁石１、磁石２の向い合う磁極面が異極の場合は、磁石２は吸引力の発生となる。
磁石１には、磁極面に相対する距離を縮める方向の動きで、磁界の影響を弱くするために、磁極面に磁極面の面積の約２倍の鉄片を取付けている。本装置の磁石と鉄片以外の構造物はアルミニュームである。本装置は、磁石２に発生する反発力又は吸引力を動力源として利用するものである。
【符号の説明】
【０００９】１    磁石１
２    磁石２
３    鉄片
４    動力発生側回転軸
５    受動側回転軸
６    ストッパー
【図１】
2012125125.tif 000003
【図２】
2012125125.tif 000004
【図３】
2012125125.tif 000005
【図４】
2012125125.tif 000006
(57)【要約】【課題】簡単な構成で人間に近いスムーズな歩行、また外部からの衝撃にも倒れづらい二足歩行ロボットを実現する。【解決手段】永久磁石４、４Ａ、４Ｂ、４Ｃと鉄板９、９Ａ、９Ｂ、９Ｃをそれぞれ吸着させる。永久磁石４、４Ａを取り付けた板５をモーター３によって９０度回転させ、永久磁石４は鉄板９からアルミ板８Ａ、永久磁石４Ａは鉄板９Ａからアルミ板８Ａの上にそれぞれスライドさせ、永久磁石４と鉄板９、永久磁石４Ａと鉄板９Ａによる吸着をとく。その状態からモーター３Ｂ、３Ｃを右足１の底面が床面１０と平行に持ち上がるようそれぞれ３０度回転させると重心移動を要さずに右足２を持ち上げる事が出来る。右足１を持ち上げた後、モーター３Ｂ、３Ｅを足１が床面１０と平行に接するようにそれぞれ３０度回転させると前進することができる。【選択図】図３
2012125908.tif 000002
【特許請求の範囲】
【請求項１】
足の内側にモーターを設置し、そのモーターの軸に板を取り付け、その板に永久磁石を取り付けた二足歩行ロボット。
【発明の詳細な説明】
【技術分野】
【０００１】  この発明は、足に永久磁石を設けた二足歩行ロボットに関するものである。
【背景技術】
【０００２】  従来、二足歩行ロボットは重心移動を行わなければ歩行する事はできなかった。また歩行の安定化のためにジャイロや加速度センサー等を用いていた。
【発明の概要】
【発明が解決しようとする課題】
【０００３】  これらは次のような欠点があった。
ロボットは歩行する際に重心移動を行わなくては歩行できなかったため、重心移動するために足のモーターが多くなり構造が複雑化、また重心移動のための動作により人間の歩行動作に近いスムーズな歩行が行えなかった。【０００４】  またジャイロや加速度センサー等のセンサーは高価で、これらのセンサーを使用しても外部から衝撃に対しても殆ど倒れないロボットの実現は困難であった。【０００５】  本発明は、以上のような欠点をなくすためになされたものである。
【課題を解決するための手段】
【０００６】  本発明は上記の目的を達成するために、足の内側にモーターを設置し、そのモーターの軸に板を取り付け、その板に永久磁石を取り付ける。
その永久磁石を床面に設けた鉄板に吸着させながら歩行することにより重心移動の要することのない歩行、ならびに歩行の安定化を実現することができる。
【発明の効果】
【０００７】  本発明の二足歩行ロボットは、重心移動を要さずに歩行できるため足の構造が簡単になるうえ人間の歩行動作に近いスムーズな歩行を実現することができる。【０００８】  また、ジャイロや加速度センサー等の高価なセンサーを要さず、さらにそれらを使用した時よりも歩行の際に高い安定性を実現することができる。
【図面の簡単な説明】
【０００９】
【図１】  基本姿勢の正面図
【図２】  基本姿勢の側面図
【図３】  片足を上げた状態の正面図
【図４】  片足を上げた状態の側面図
【図５】  前進した状態の正面図
【図６】  前進した状態の側面図
【発明を実施するための形態】
【００１０】  以下、本発明を実施するための形態について説明する。
二足歩行ロボット本体１の右足２の内側にモーター３を取り付け、左足２Ａの内側にはモーター３Ａを取り付ける。永久磁石４、４Ａを取り付けた板５をモーター３の軸に取り付け、永久磁石４Ｂ、４Ｃを取り付けた板５Ａはモーター３Ａの軸に取り付ける。モーター３Ｂとモーター３Ｃの軸同士を板６、６Ａで繋げ、それを右足２の上に取り付ける。この時モーター３Ｃが上側に来るようにする。モーター３Ｄとモーター３Ｅの軸同士を板６Ｂ、６Ｃで繋げ、左それを足２Ａの上に取り付ける。この時モーター３Ｅが上側に来るように取り付ける。モーター３Ｃとモーター３Ｅを板７で繋げる。この時、正面から見て左側にモーター３Ｃが来るようにする。
本発明は、以上の構成よりなる二足歩行ロボットである。
【００１１】  また、正面から見てアルミ板８、鉄板９、アルミ板８Ａ、鉄板９Ａ、アルミ板８Ｂ、鉄板９Ｂ、アルミ板８Ｃ、鉄板９Ｃ、アルミ板８Ｄの順に左から並べたものを床面１０とする。
【００１２】  以下、上記構成の動作を説明する。
永久磁石４と鉄板９、永久磁石４Ａと鉄板９Ａ、永久磁石４Ｂと鉄板９Ｂ、永久磁石４Ｃと鉄板９Ｃをそれぞれ吸着させる。またモーター３Ｂの軸とモーター３Ｃの軸、モーター３Ｄの軸とモーター３Ｅの軸をそれぞれ直線で結んだと仮定して、その結んだ直線のどちらもが側面から見て床面１０に対し垂直に交わる状態を基本姿勢とする。
【００１３】  基本姿勢から永久磁石４、４Ａを取り付けた板５をモーター３によって９０度回転させ、永久磁石４は鉄板９からアルミ板８Ａ、永久磁石４Ａは鉄板９Ａからアルミ板８Ａの上にそれぞれスライドさせ、永久磁石４と鉄板９、永久磁石４Ａと鉄板９Ａによる吸着をとく。その状態からモーター３Ｂ、３Ｃを右足１の底面が床面１０と平行に持ち上がるようそれぞれ３０度回転させると重心移動を要さずに右足２を持ち上げる事が出来る。
【００１４】  右足１を持ち上げた後、モーター３Ｄ、３Ｅを足１が床面１０と平行に接するようにそれぞれ３０度回転させると前進することができる。
【符号の説明】
【００１５】１    ロボット本体
２    右足
２Ａ  左足
３    モーター
３Ａ  モーター
３Ｂ  モーター
３Ｃ  モーター
３Ｄ  モーター
３Ｅ  モーター
４    永久磁石
４Ａ  永久磁石
４Ｂ  永久磁石
４Ｃ  永久磁石
５    板
５Ａ  板
６    板
６Ａ  板
６Ｂ  板
６Ｃ  板
７    板
８    アルミ板
８Ａ  アルミ板
８Ｂ  アルミ板
８Ｃ  アルミ板
８Ｄ  アルミ板
９    鉄板
９Ａ  鉄板
９Ｂ  鉄板
９Ｃ  鉄板
１０  床面
【図１】
2012125908.tif 000003
【図２】
2012125908.tif 000004
【図３】
2012125908.tif 000005
【図４】
2012125908.tif 000006
【図５】
2012125908.tif 000007
【図６】
2012125908.tif 000008